(57)【要約】【課題】輸送の振動に強く、また設置面の平面度の影響を受けずに高画質な画像を形成することができる画像形成装置輸送・設置用の構造体を提供する。【解決手段】ベース１の内部に補強用ベース６を挿入可能とする。補強用ベース６を挿入する前のベース構造、すなわちトラック等による輸送時のベース構造は剛性を低くすることによって、ベース１と縦フレームが弾性変形領域内で変形し、補強用ベース６を挿入した後のベース構造、すなわち設置時のベース構造では、補強用ベース６を挿入するという簡単な作業後で構造体としての剛性がアップし、設置する画像形成装置が設置面の平面度の影響を受けないようになる。【選択図】　　　　図５
2004145134.tif 000002
【特許請求の範囲】
【請求項１】
ベースとチャンネル状の複数の骨組部材を組み立ててなる画像形成装置輸送・設置用の構造体において、輸送時と設置時において上記ベースの構造体剛性を可変する手段を含むことを特徴とする画像形成装置。
【請求項２】
請求項１の画像形成装置輸送・設置用の構造体において、上記構造体剛性を可変する手段が、上記ベース内部に挿入可能な補強用ベースであることを特徴とする画像形成装置輸送・設置用の構造体。
【請求項３】
請求項１の画像形成装置輸送・設置用の構造体において、上記ベースに補強用部材を回転可能に設け、該補強用部材の寸法を回転時に高さが異なるものとしてなることを特徴とする画像形成装置輸送・設置用の構造体。
【発明の詳細な説明】
【０００１】
【発明の属する技術分野】
本発明は、ベース部材とチャンネル状の複数の骨組部材を組み立ててなる画像形成装置輸送・設置用の構造体に関する。
【０００２】
【従来の技術】
近年、複写機やプリンタ等の画像形成装置においては、高画質化の要求やカラー機の普及により、構造体の高剛性化が求められている。特に、上下方向の荷重に対する剛性を上げることにより、装置設置面の平面度が多少狂っていても、構造体は変形せずに正規の位置（形状）を保つため、画像を形成する主要部品の位置精度に狂いが出ず、高画質化を達成することができるとされている。
【０００３】
この種の画像形成装置輸送・設置用の構造体としては、ベース部材とチャンネル状の複数の骨組部材を組み立てて構成しているものがある（例えば特許文献１参照）。このタイプの構造体は、上下方向の荷重に対する剛性はベースの剛性による寄与が非常に大きいが、ベースを剛性アップした副作用として、輸送時のチャンネル状の骨組部材（特にベース上に設ける縦フレーム）の変形が大きな問題となっている。
【０００４】
この不具合は、環境を考慮し、環境にやさしい梱包材としてパイプ形状をした材料による梱包形態（例えば特許文献２参照）が複写機やプリンタでも使用されるようになってきたことにより多く発生している。このパイプ材等を用いた梱包形態では、発泡スチロール等の衝撃吸収部材を使わず、パイプ状の支柱を組み立てて構成するため、発泡スチロールを使用した梱包材と比較すると衝撃吸収能力が極端に低い。
【０００５】
そしてこの梱包形態では、衝撃吸収能力が低いことを考慮して縦フレーム直下を梱包材による装置支持部とせず、その間を装置支持部としている。これは、縦フレーム直下を装置支持部とすると、輸送時振動で縦フレームに大きな負荷が掛かるからである。
【０００６】
図１は、上述のような梱包形態に用いる支持構造体の底面図である。図中１はベース、２は縦フレーム、３はキャスタ部、４は梱包材による装置支持部である。これまでの支持構造では、図２に示すように、輸送時の振動によってベース１や縦フレーム２が弾性変形領域でたわむことにより振動エネルギーを吸収できていた。ところが、ベース１の剛性をアップさせると、その分たわみが小さくなり、逆に縦フレーム２への負荷が非常に大きくなり、図３に示すような縦フレーム２の塑性変形という不具合につながっていた。またさらに剛性をアップさせるために、図４に示すように、縦フレーム２にパイプ材を使用することも多くなっている。
【０００７】
【特許文献１】
特開平６−１７５４１９号公報
【特許文献２】
特開２００２−６８１８６号公報
【０００８】
【発明が解決しようとする課題】
上述のような構造とすることによって設置時の寸法精度確保という面ではより有利になるが、その反面、輸送時については断面の変わり目（図中Ａ部）に応力が集中することにより、変形に対してはより弱い構造体となってしまっている。もちろん、ベース１の剛性アップは、設置面の平面度によらずに構造体の高精度を維持して高画質の画像を形成するためには必要不可欠である。
【０００９】
そこで本発明は、輸送の振動に強く、また設置面の平面度の影響を受けずに高画質な画像を形成することができる画像形成装置輸送・設置用の構造体を提供することを目的とする。
【００１０】
また本発明は、構造体剛性の変更が容易な画像形成装置輸送・設置用の構造体を提供することをも目的とする。
【００１１】
【課題を解決するための手段】
本発明の請求項１に係る画像形成装置輸送・設置用の構造体は、上記目的を達成するために、ベースとチャンネル状の複数の骨組部材を組み立ててなる画像形成装置輸送・設置用の構造体において、輸送時と設置時において上記ベースの構造体剛性を可変する手段を含むことを特徴とする。
【００１２】
同請求項２に係るものは、上記目的を達成するために、請求項１の画像形成装置輸送・設置用の構造体において、上記構造体剛性を可変する手段が、上記ベース内部に挿入可能な補強用ベースであることを特徴とする。
【００１３】
同請求項３に係るものは、上記目的を達成するために、請求項１の画像形成装置輸送・設置用の構造体において、上記ベースに補強用部材を回転可能に設け、該補強用部材の寸法を回転時に高さが異なるものとしてなることを特徴とする。
【００１４】
【発明の実施の形態】
以下本発明の実施の形態を図面を参照して説明する。なお以下では従来と共通する部分には共通する符号を付すにとどめ重複する説明は省略する。
図５は、本発明に係る画像形成装置輸送・設置用の構造体の一実施形態を示す断面図である。図中５はキャスタ、６は補強用ベースである。本実施形態の構造体は、ベース１の内部に補強用ベース６を挿入することで構造体としての剛性を上げている。図５（Ａ）は補強用ベース６を挿入する前のベース構造、すなわち輸送時のベース構造の断面であり、図５（Ｂ）は補強用ベース６を挿入した後のベース構造、すなわち設置時のベース構造の断面である。
【００１５】
このように本実施形態では、トラック等による輸送時には図５（Ａ）のようにベース構造体としての剛性を低くすることによって、図２のようにベース１と縦フレーム２が弾性変形領域内で変形し、その後、補強用ベース６を挿入するという簡単な作業後に装置を設置することにより、ベース構造体としての剛性をアップさせ、設置する画像形成装置が設置面の平面度の影響を受けないようにすることができる。
【００１６】
図６は本発明に係る画像形成装置輸送・設置用の構造体の他の実施形態を示す斜視図（Ａ）、断面図（Ｂ、Ｃ）である。図中７はキャスタ支持用のパイプフレーム、８はその回転支点である。本実施形態の構造体は、ベース１を構成しているパイプ部材を回転可能とすることにより構造体剛性の変更している。
【００１７】
キャスタ５を支持するパイプフレーム７は、図示のようにベース１の裏面側両サイドに設けてあり、輸送時は図６（Ｂ）に示すようにパイプフレーム７の短手方向ａが高さ方向になるようセットしてある。また設置時は、パイプフレーム７を回転支点８を中心に回転させ、図６（Ｃ）に示す状態でロックし（ロック機構は図示を省略するが、適宜公知の機構を採用すればよい。）、パイプフレーム７の長手方向ｂが高さ方向となるようにセットする。そのため、パイプフレーム７の断面２次モーメントが大きくなり、ベース構造体としての剛性がアップする。なお周知のように長方形断面を有する梁の断面２次モーメントは高さｈを３乗した値を幅ｗの２乗値で除して得られ、換言すれば高さｈの３乗に比例し、幅ｗの２乗に反比例するので、本実施形態のようにパイプフレーム７の向きを変えると断面２次モーメントがかなり変化する。
【００１８】
この実施形態においても、トラック等による輸送時には図６（Ｂ）の構造とすることによって、図２と同様にベース１と縦フレーム２が弾性変形領域内で変形し、その後、パイプフレーム７を回転させ、長手方向が高さ方向となるようにセットすることにより、ベース構造体としての剛性をアップさせ、設置する画像形成装置が設置面の平面度の影響を受けないようにすることができる。
【００１９】
【発明の効果】
請求項１に係る画像形成装置輸送・設置用の構造体は、以上説明してきたように、ベース部材とチャンネル状の複数の骨組部材を組み立てて構成するものにおいて、輸送時と設置時において構造体剛性を変更可能とすることにより、輸送時の振動に強くなり、また設置時には設置面の平面度の影響を受けずに画像形成装置が高画質な画像を形成することができるようになるという効果がある。
【００２０】
請求項２に係る画像形成装置輸送・設置用の構造体は、上記請求項１と共通の効果に加え、ベース内部に補強用ベースを挿入することを構造体剛性の変更手段とすることによって、輸送後に構造体の剛性を容易にアップさせることができるという効果がある。
【００２１】
請求項３に係る画像形成装置輸送・設置用の構造体は、上記請求項１と共通の効果に加え、補強用部材を回転可能に設けることによって、輸送後に構造体の剛性を容易かつ簡単な操作でアップさせることができるという効果がある。
【図面の簡単な説明】
【図１】画像形成装置の輸送に用いる梱包形態の支持構造体の底面図である。
【図２】図１の構造体が振動によって弾性変形領域でたわんでいる状態の側面図である。
【図３】図１の構造体をなす縦フレームに塑性変形が生じた状態の側面図である。
【図４】図１の構造体をなす縦フレームにパイプ材を使用した例の斜視図である。
【図５】本発明に係る画像形成装置輸送・設置用の構造体の一実施形態を示す断面図である。
【図６】本発明に係る画像形成装置輸送・設置用の構造体の他の実施形態を示す斜視図（Ａ）、断面図（Ｂ、Ｃ）である。
【符号の説明】
１　ベース
２　縦フレーム
３　キャスタ部
４　装置支持部
５　キャスタ
６　補強用ベース
７　キャスタ支持用のパイプフレーム
８　パイプフレームの回転支点
ａ　パイプフレームの短手方向
ｂ　同長手方向
【図１】
2004145134.tif 000003
【図２】
2004145134.tif 000004
【図３】
2004145134.tif 000005
【図４】
2004145134.tif 000006
【図５】
2004145134.tif 000007
【図６】
2004145134.tif 000008